(57)【要約】【課題】低温環境下でのバックライトの寿命を向上させることができるエレベータ装置の提供。【解決手段】乗かご３の階床を表示する液晶パネル５ｂを照射するバックライト５ｃを制御するバックライト制御部５ｄが、バックライト５ｃの温度が所定の低温度（Ｔmin）以下かどうかを判断する判断手段５ｄ１と、この判断手段５ｄ１で乗かご３の昇降頻度が低く、且つバックライト５ｃが所定の低温度（Ｔmin）以下でないと判断された場合に、省エネのために、バックライト５ｃへこのバックライト５ｃを減温させる作動指令信号を出力するとともに、判断手段５ｄ１で乗かご３の昇降頻度が低く、且つバックライト５ｃが所定の低温度（Ｔmin）以下であると判断された場合に、バックライト５ｃへこのバックライト５ｃを増温させる作動指令信号を出力する出力手段５ｄ２とを含むように構成した。【選択図】図３
2008297026.tif 000002
【特許請求の範囲】
【請求項１】
エレベータの乗かごの昇降動作を制御するとともに、昇降制御情報を送信するエレベータ制御盤を有し、前記乗かご若しくは乗場に設置され、前記乗かごが位置する階床を表示する液晶パネルと、この液晶パネルの背面に配置され、その点灯時に前記液晶パネルを照射するバックライトと、このバックライトへ点灯を含む作動指令を出力することにより、前記バックライトの作動制御を行うとともに、前記昇降制御情報を受信し、この前記昇降制御情報の中の乗かごの位置情報により、前記液晶パネルへの表示制御を行うバックライト制御部と、前記バックライトの温度を検出する温度センサとを含む液晶表示装置を有するエレベータ装置において、
前記バックライト制御部は、前記温度センサからの前記出力信号により、前記バックライトの温度が所定の低温度以下かどうかを判断する判断手段と、前記昇降制御情報から、前記判断手段で前記乗かごの昇降頻度が低く、且つ前記バックライトが前記所定の低温度以下でないと判断された場合に、前記バックライトへこのバックライトを減温させる促進指令信号を出力するとともに、前記昇降制御情報から、前記判断手段で前記乗かごの昇降頻度が低いこと、且つ前記バックライトが前記所定の低温度以下であると判断された場合に、前記バックライトへこのバックライトを増温させる点灯指令信号を出力する出力手段とを含むことを特徴とするエレベータ装置。
【請求項２】
前記請求項１に記載の発明において、
前記バックライト制御部の前記出力手段は、前記バックライトを増温させる前記点灯指令信号を出力してから所定時間以内に、前記温度センサによって前記バックライトの温度が前記所定の低温度以上に上昇したことが検出されない場合には、通信回線を介して異常信号を前記エレベータの制御盤へ出力する手段を兼ねることを特徴とするエレベータ装置。
【請求項３】
前記請求項１または２に記載の発明において、
前記バックライト制御部の前記判断手段が、前記温度センサからの前記出力信号により、前記バックライトの温度が前記所定の低温度よりも高い所定の高温度以上かどうかを判断する手段を兼ねるとともに、前記バックライト制御部の前記出力手段が、前記判断手段で前記乗かごの昇降頻度が低く、且つ前記所定の高温度以上であると判断されたときに、前記バックライトへこのバックライトを減温させる前記促進指令信号を出力する手段を兼ねることを特徴とするエレベータ装置。  
【請求項４】
前記請求項３に記載の発明において、
前記バックライト制御部の前記出力手段は、前記バックライトを減温させる前記促進指令信号を出力してから所定時間以内に、前記温度センサによって前記バックライトの温度が前記所定の高温度以下に下降したことが検出されない場合には、通信回線を介して異常信号を前記エレベータ制御盤へ出力する手段を兼ねることを特徴とするエレベータ装置。
【発明の詳細な説明】
【技術分野】
【０００１】
本発明は、乗かご若しくは乗場の階床表示を行う液晶表示装置のバックライトを作動制御するバックライト制御部を有するエレベータ装置に関する。
【背景技術】
【０００２】
一般的に、液晶表示装置の寿命を左右する主たる要因は、冷陰極管等により構成されるバックライトの照度が減光することが挙げられている。このバックライトの寿命要因としては、バックライトの周囲の温度が高温状態での使用や電源オン／オフの切換えなどが挙げられている。
【０００３】
上述した現象を対象とした従来の液晶表示装置のバックライト点灯制御方法として、液晶表示装置内部の温度を検出し、予め設定していた一定の温度以上、すなわち所定の高温度以上になった場合に、液晶表示器、すなわち液晶パネルの背面に対して照射するバックライトの点灯回路への電源の供給をオフにし、バックライトの温度を低下させ、バックライトの劣化や液晶パネルの品質の劣化を防止する技術が知られていた。（特許文献１参照）
一方で、エレベータ制御技術の中では、エレベータにおいて、所定時間、乗かご若しくは乗場で呼びが登録されない状態で、乗かご内の温度センサが、所定の高温度以上の温度を感知すると、乗かご内の換気ファンを運転させることができる手段も公知の技術として知られていた。（特許文献２参照）
【特許文献１】特開昭６４−０５９３２９号公報
【特許文献２】特開２００３−１３７４８１公報
【発明の開示】
【発明が解決しようとする課題】
【０００４】
しかしながら、前述した特許文献１の従来技術では、バックライトの周囲の温度が所定の高温度以上になった場合に、バックライトのオフ制御を行う技術については考慮されているが、例えば、冬場や寒冷地など、大気の温度が低下する環境にエレベータが設置されている場合に、液晶パネルの近傍に設けられたバックライトが所定の低温度以下になることについて全く考慮されておらず、所定の低温度以下でのバックライトの点灯により、バックライトの寿命が短くなるという問題があった。従って、特許文献１の従来技術を、特許文献２のようなエレベータ機器の制御に適用することを考えたとしても、前述の所定の低温度以下におけるバックライトの寿命管理に繋がるものではなかった。また、前述の特許文献１と特許文献２の従来技術では、液晶表示装置の異常を確認する手段についても検討がなされていなかった。
【０００５】
本発明は、このような従来技術の実状を考慮してなされたもので、その目的は、低温環境下でのバックライトの寿命を向上させることができるエレベータ装置を提供することにある。
【課題を解決するための手段】
【０００６】
この目的を達成するために、エレベータの乗かごの昇降動作を制御するとともに、昇降制御情報を送信するエレベータ制御盤を有し、前記乗かご若しくは乗場に設置され、前記乗かごが位置する階床を表示する液晶パネルと、この液晶パネルの背面に配置され、その点灯時に前記液晶パネルを照射するバックライトと、このバックライトへ点灯を含む作動指令を出力することにより、前記バックライトの作動制御を行うとともに、前記昇降制御情報を受信し、この前記昇降制御情報の中の乗かごの位置情報により、前記液晶パネルへの表示制御を行うバックライト制御部と、前記バックライトの温度を検出する温度センサとを含む液晶表示装置を有するエレベータ装置において、前記バックライト制御部は、前記温度センサからの前記出力信号により、前記バックライトの温度が所定の低温度以下かどうかを判断する判断手段と、前記昇降制御情報から、前記判断手段で前記乗かごの昇降頻度が低く、且つ前記バックライトが前記所定の低温度以下でないと判断された場合に、前記バックライトへこのバックライトを減温させる促進指令信号を出力するとともに、前記昇降制御情報から、前記判断手段で前記乗かごの昇降頻度が低いこと、且つ前記バックライトが前記所定の低温度以下であると判断された場合に、前記バックライトへこのバックライトを増温させる点灯指令信号を出力する出力手段とを含むことを特徴としている。
【０００７】
このように構成した本発明は、バックライト制御部の出力手段が、バックライト制御部の判断手段により、乗かごの昇降頻度が低く、且つバックライトの温度が所定の温度以下でないと判断した場合に、バックライトへこのバックライトを減温させる促進指令信号を出力する。したがって、乗かごの昇降頻度が低く、バックライトの温度が所定の低温度以下でない場合に、バックライトを減温、例えばバックライトを消灯させることができ、これにより、液晶表示装置によって消費される電力を節減することができる。また、バックライト制御部の判断手段により、乗かごの昇降頻度が低く、且つバックライトの温度が所定の低温度以下であると判断された場合に、バックライト制御部の出力手段が、バックライトへこのバックライトを増温させる点灯指令信号を出力する。したがって、バックライトを点灯させることにより、バックライトを増温させることができる。これによって、低温環境下でのバックライトの寿命を向上させることができる。
【０００８】
また、本発明は、前記発明において、前記バックライト制御部の前記出力手段は、前記バックライトを増温させる前記点灯指令信号を出力してから所定時間以内に、前記バックライトの温度が前記所定の低温度以上に上昇しない場合には、通信回線を介して異常信号を前記エレベータの制御盤へ出力する手段を兼ねることを特徴としている。このように構成した本発明は、異常信号に応じて、温度センサ、あるいはバックライト制御部などの異常の可能性を作業員に知らせることができる。
【０００９】
また、本発明は、前記発明において、前記バックライト制御部の前記判断手段が、前記温度センサからの前記出力信号により、前記バックライトの温度が前記所定の低温度よりも高い所定の高温度以上かどうかを判断する手段を兼ねるとともに、前記バックライト制御部の前記出力手段が、前記判断手段で前記乗かごの昇降頻度が低く、且つ前記所定の高温度以上であると判断されたときに、前記バックライトへこのバックライトを減温させる前記促進指令信号を出力する手段を兼ねることを特徴としている。このように構成した本発明は、促進指令信号に応じて、バックライトを減温、例えばバックライトを消灯させることができる。これにより、バックライトの劣化や高温状態でのバックライトの照射による液晶パネルの品質の劣化を防止することができる。
【００１０】
また、本発明は、前記発明において、前記バックライト制御部の前記出力手段は、前記バックライトを減温させる前記促進指令信号を出力してから所定時間以内に、前記バックライトの温度が前記所定の高温度以下に下降しない場合には、通信回線を介して異常信号を前記エレベータ制御盤へ出力する手段を兼ねることを特徴としている。このように構成した本発明は、異常信号に応じて、温度センサ、あるいはバックライト制御部などの異常の可能性を作業員に知らせることができる。
【発明の効果】
【００１１】
本発明は、乗かごの昇降頻度が低く、且つバックライトの温度が所定の低温度以下の場合に、バックライトを点灯させることにより、バックライトを増温させることができ、低温環境下でのバックライトの寿命を向上させることができる。これによって、従来よりも信頼性の高いエレベータ装置を提供できる。
【発明を実施するための最良の形態】
【００１２】
以下、本発明に係るエレベータ装置を実施するための最良の形態を図に基づいて説明する。
【００１３】
［本実施形態の構成］
図１は、本発明に係るエレベータ装置の一実施形態の全体構成を示す側面図、図２は、本実施形態に備えられる液晶パネル周辺部の要部拡大断面図、図３は、本実施形態に備えられるバックライト制御部での制御内容を説明するためのブロック図である。
【００１４】
本発明に係るエレベータ装置の一実施形態は、図１に示すように、乗かご３、若しくは各乗場８に設置され、乗かご３が昇降路１内で位置する階床表示を行う液晶表示装置、すなわち乗かご３内に設けられる階床表示器５、及び各階床の乗場８付近にそれぞれ設けられる階床表示器９と、乗かご３内に設けられ、目的階の登録、すなわち呼び登録を行う操作盤４と、乗かご３上に設けられ、乗かご３内の各種機器を制御するかご上制御装置６とを備えている。また、乗かご３の昇降動作を制御するとともに、乗かご３の昇降制御情報を前述した階床表示器５、及び階床表示器９に送信するエレベータ制御盤２と、このエレベータ制御盤２と階床表示器５間を接続する通信回線、すなわち移動ケーブル７と、エレベータ制御盤２と各階床に設けられるそれぞれの階床表示器９間を接続する通信回線、すなわち塔内ケーブル１０を備えている。
【００１５】
前述の階床表示器５は、図２に示すように、乗かご３が位置する階床を表示する表示部を形成する液晶パネル５ｂと、この液晶パネル５ｂの背面に配置され、その点灯時に液晶パネル５ｂを照射する冷陰極管等により構成されるバックライト５ｃと、かご上制御装置６を介して、移動ケーブル７によりエレベータ制御盤２から送信される昇降制御情報を受信し、この昇降制御情報の中の乗かご３の位置情報により、バックライト５ｃへ点灯を含む作動指令、例えば、点灯、及び消灯の作動指令信号を出力するバックライト制御部５ｄと、例えば、バックライト５ｃの近傍に配置され、バックライト５ｃの温度を検出する温度センサ５ｅと、これら液晶パネル５ｂ、バックライト５ｃ、バックライト制御部５ｄなどの内部機器を収納する箱体５ａとを備えている。
【００１６】
特に、本実施形態では、階床表示器５のバックライト制御部５ｄが、図３に示すように、温度センサ５ｅからの出力信号により、バックライト５ｃの温度が所定の温度以下、すなわちバックライト５ｃを点灯させると、バックライト５ｃの寿命が短くなる虞のある所定の低温度以下かどうかを判断する判断手段５ｄ１と、エレベータ制御盤２からかご上制御装置６を介して送信される昇降制御情報によって、判断手段５ｄ１で乗かご３の昇降頻度が低いこと、且つバックライト５ｃが前述の所定の低温度以下であると判断された場合に、バックライト５ｃへこのバックライト５ｃを増温させる作動指令信号、すなわち点灯指令信号を出力する出力手段５ｄ２とを含んでいる。
【００１７】
バックライト制御部５ｄに含まれる出力手段５ｄ２は、バックライト５ｃを増温させる点灯指令信号を出力してから所定時間以内に、温度センサ５ｅによってバックライト５ｃの温度が前述の所定の低温度以上に上昇したことが検出されない場合には、図１に示す移動ケーブル７により、図３に示す異常信号をかご上制御装置６を介してエレベータ制御盤２へ出力するようになっている。
【００１８】
バックライト制御手部５ｄに含まれる判断手段５ｄ１は、温度センサ５ｅからの出力信号により、バックライト５ｃの温度が所定の低温度よりも高い所定の高温度以上、すなわち、図２の液晶パネル５ｂの品質の劣化を生じる虞のある所定の高温度以上かどうかを判断するようになっている。さらに、前述の出力手段５ｄ２は、エレベータ制御盤２からかご上制御装置６を介して送信される昇降制御情報によって、判断手段５ｄ１で乗かご３の昇降頻度が低く、且つバックライト５ｃの温度が前述の所定の高温度以上であると判断されたときに、バックライト５ｃへこのバックライト５ｃを減温させる作動指令信号、すなわち促進指令信号を出力するようになっている。
【００１９】
さらに、前述の出力手段５ｄ２は、バックライト５ｃを減温させる促進指令信号を出力してから所定時間以内に、温度センサ５ｅによって、バックライト５ｃの温度が前述の所定の高温度以下に下降したことが検出されない場合には、図１の移動ケーブル７を介して、図３に示す異常信号をかご上制御装置６を介してエレベータ制御盤２へ出力するようになっている。  
なお、階床表示器９も階床表示器５と略同様の構成をしており、塔内ケーブル１０を介してエレベータ制御盤２からの昇降制御情報を受信するとともに、階床表示器９に異常があった場合には、塔内ケーブル１０を介してエレベータ制御盤２へ異常信号を出力するようになっている。
【００２０】
また、エレベータ制御盤２は、前述の異常信号を受信した後、図示しない警報装置を作動させ、階床表示器５、階床表示器９の異常を作業員に知らせるようになっている。
【００２１】
［本実施形態の動作］
図４は、本実施形態に備えられるバックライト制御部による制御手順を説明するためのフローチャート、図５は、本実施形態の正常時におけるバックライト点灯状態特性、液晶パネルの周囲温度特性、及びエレベータ運転状態特性を対比して示したタイムチャート、図６は、本実施形態の異常発生時におけるバックライト点灯状態特性、液晶パネルの周囲温度特性、及びエレベータ運転状態特性を対比して示したタイムチャートである。
【００２２】
次に、本実施形態に備えられる階床表示器５に含まれるバックライト制御部５ｄによる制御手順について、主に図４〜図６を用いて説明する。まず、エレベータの利用頻度が低い場合、例えば、図５に示すエレベータ運転状態Ｃが停止状態となってから、エレベータの利用階が登録され無い時間、つまり呼び登録がされなかった時間が、所定の時間（ｔ１）を経過したかどうかを、図４に示すように、エレベータ制御盤２から送信される昇降制御情報から判断手段５ｄ１が判断する（Ｓ１）。この判断は、例えば、図１、図２に示す操作盤４により、呼び登録がされなかった時間が所定時間（ｔ１）継続したか否かによって行われる。次に、判断手段５ｄ１により、呼び登録がされなかった時間が所定時間（ｔ１）経過したと判断された場合には、出力手段５ｄ２が、点灯しているバックライト５ｃへこのバックライト５ｃを減温させる促進指令信号を出力し、図５に示すように、バックライト点灯状態ＡがＯＦＦとなり、バックライト５ｃが消灯する（Ｓ２）。このステップ（Ｓ２）により、必要以上のバックラト５ｃの温度上昇を防ぐことができるとともに、階床表示器５によって消費される電力を節減することができる。なお、ステップ（Ｓ１）で判断手段５ｄ１が、呼び登録がされなかった時間が所定時間（ｔ１）経過していない、すなわち所定時間（ｔ１）経過前に、呼び登録があると判断した場合には、乗客が図１に示す乗かご３内に残っていることを考慮し、バックライト５ｃを継続して点灯させることにより、エレベータの階床位置表示を行う（Ｓ９）。
【００２３】
次に、判断手段５ｄ１では、ステップ（Ｓ２）でバックライト５ｃを消灯させた後、操作盤４により呼び登録がされたか否かが判断される（Ｓ３）。この判断手段５ｄ１で、呼び登録が無いと判断された場合には、図３に示す温度センサ５ｅからの出力信号に基づいて、判断手段５ｄ１により、温度センサ５ｅで検出された温度が所定の低温度（Ｔmin）以下か否かが判断される（Ｓ８）とともに、温度センサ５ｅで検出された温度が所定の高温度（Ｔmax）以上か否かが判断される（Ｓ４）。なお、ステップ（Ｓ３）で呼び登録があると判断された場合には、出力手段５ｄ２が、バックライト５ｃへ点灯指令信号を出力し、バックライト５ｃを点灯させることにより、エレベータの階床位置表示を行う（Ｓ９）。
【００２４】
前述のステップ（Ｓ８）で、図５に示すように、エレベータが停止してから所定の時間（ｔ１）が経過し、その後、ステップ（Ｓ２）でバックライト５ｃを消灯させてから所定の時間（ｔ２）経過後に、判断手段５ｄ１により、温度センサ５ｅで検出された温度が所定の低温度（Ｔmin）以下であると判断された場合には、判断手段５ｄ１がバックライト５ｃへこのバックライト５ｃを増温させる点灯指令信号を出力し、図５に示すように、バックライト点灯状態ＡがＯＮとなり、バックライト５ｃが点灯する（Ｓ９）。これにより、バックライト５ｃの温度を上昇させ、バックライト５ｃの低温状態における起電力増加による劣化を防止することができる。なお、判断手段５ｄ１により、温度センサ５ｅで検出された温度が所定の低温度（Ｔmin）以下でないと判断された場合には、ステップ（Ｓ３）に戻って、操作盤４により呼び登録がされたか否かが判断される。
【００２５】
さらに、ステップ（Ｓ８）で、図６に示すように、バックライト５ｃを増温させる点灯指令信号を出力してから所定の時間（ｔ３）、例えば１０分経過後に、図４に示すように、判断手段５ｄ１により、温度センサ５ｅで検出された温度が所定の低温度（Ｔmin）以上か否かが判断される（Ｓ１０）。このステップ（Ｓ１０）の判断で、温度センサ５ｅで検出された温度が所定の低温度（Ｔmin）以上でないと判断された場合、すなわち温度センサ５ｅの故障などの異常を検出した場合（Ｓ７）には、図３に示すように、出力手段５ｄ２が図１に示す移動ケーブル７により、かご上制御装置６を介してエレベータ制御盤２へ異常信号を出力する。この異常信号は、前述したようにエレベータ制御盤２から図示しない通報装置に伝達され、この通報装置は、異常信号を受けた後、図示しない通信回線を介して外部の監視センタや保守員の駐在する営業所へ異常の発報を行う。これにより、ステップ（Ｓ９）でバックライト５ｃを点灯させているにも係わらず、バックライト５ｃの温度が上昇していない、つまり、図６の階床表示器５の周囲温度Ｂ１が、所定の時間（ｔ３）経過後も、所定の低温度（Ｔmin）以上に上昇していない場合に、温度センサ５ｅの故障などの異常の可能性を外部に発報することで、バックライト制御部５ｄの制御異常を早期に改善することが可能となる。なお、ステップ（Ｓ１０）の判断で、温度センサ５ｅで検出された温度が所定の低温度（Ｔmin）以上であると判断された場合には、ステップ（Ｓ３）に戻って、操作盤４により呼び登録がされたか否かが判断される。
【００２６】
また、前述のステップ（Ｓ４）で、エレベータが停止してから所定の時間（ｔ１）が経過し、その後、ステップ（Ｓ２）でバックライト５ｃを消灯させてから所定の時間（ｔ２）経過後に、判断手段５ｄ１により、温度センサ５ｅで検出された温度が、所定の高温度（Ｔmax）以上であると判断された場合には、出力手段５ｄ２がバックライト５ｃへこのバックライト５ｃを減温させる促進指令信号を出力し、バックライト５ｃを消灯させる（Ｓ５）。これにより、バックライト５ｃの温度を下降させ、バックライトの劣化やバックライト５ｃの高温状態での照射による液晶パネル５ｂの品質の劣化を防止することができる。なお、判断手段５ｄ１により、温度センサ５ｅで検出された温度が所定の高温度（Ｔmax）以上でないと判断された場合には、ステップ（Ｓ３）に戻って、操作盤４により呼び登録がされたか否かが判断される。
【００２７】
さらに、ステップ（Ｓ４）でバックライト５ｃを減温させる促進指令信号を出力してから所定の時間（ｔ３）、例えば１０分経過後に、図４に示すように、判断手段５ｄ１により、温度センサ５ｅで検出された温度が所定の高温度（Ｔmax）以下か否かが判断される（Ｓ６）。
【００２８】
このステップ（Ｓ６）の判断で、温度センサ５ｅで検出された温度が所定の高温度（Ｔmax）以下でないと判断された場合、すなわち温度センサ５ｅの故障などの異常を検出した場合（Ｓ７）には、前述したステップ（Ｓ１０）の判断で、温度センサ５ｅで検出された温度が所定の低温度（Ｔmin）以上でないと判断された場合と同様に、図３に示すように、出力手段５ｄ２が、図１に示す移動ケーブル７により、かご上制御装置６を介してエレベータ制御盤２へ異常信号を出力する。この異常信号も、前述したようにエレベータ制御盤２から図示しない通報装置に伝達され、この通報装置は、異常信号を受けた後、図示しない通信回線を介して外部の監視センタや保守員の駐在する営業所へ異常の発報を行う。これにより、ステップ（Ｓ５）でバックライト５ｃを消灯させているにも係わらず、バックライト５ｃの温度が下降していない、つまり、階床表示器５の周囲温度が、所定の時間（ｔ３）経過後も、所定の高温度（Ｔmax）以下に下降していない場合に、温度センサ５ｅの故障などの異常の可能性を外部に発報することで、バックライト制御部５ｄの制御異常を早期に改善することが可能となる。なお、ステップ（Ｓ６）の判断で、温度センサ５ｅで検出された温度が所定の高温度（Ｔmax）以下であると判断された場合には、ステップ（Ｓ３）に戻って、操作盤４により呼び登録がされたか否かが判断される。
【００２９】
このようにバックライト制御部５ｄによってバックライト５ｃを点灯、あるいは消灯制御することにより、バックライト５ｃの温度を適正な温度帯、すなわち、図５に示すように、階床表示器５の周囲温度Ｂが所定の低温度（Ｔmin）以上で、且つ所定の高温度（Ｔmax）以下となるように、バックライト５ｃの温度を管理することができる。
【００３０】
［本実施形態の効果］
このように構成した本実施形態によれば、バックライト制御部５ｄに含まれる判断手段５ｄ１により、乗かごの昇降頻度が低く、且つバックライト５ｃの温度が、バックライト５ｃを点灯させることにより、バックライト５ｃが劣化を生じる虞のある所定の低温度（Ｔmin）以下の場合に、バックライト制御部５ｄに含まれる出力手段５ｄ２が、点灯指令信号をバックライト５ｃへ出力し、このバックライト５ｃを点灯させるようにしたので、バックライト５ｃを増温させることができ、低温環境下でのバックライト５ｃの寿命を向上させることができる。これによって、信頼性の高いエレベータ装置を提供できる。
【００３１】
また、判断手段５ｄ１により、乗かご３の昇降頻度が低く、且つ所定の高温度（Ｔmax）以上であると判断されたときに、バックライト制御部５ｄに含まれる出力手段５ｄ２が、バックライト５ｃへこのバックライト５ｃを減温させる促進指令信号を出力するようにしたことから、バックライト５ｃを消灯させることができる。これにより、バックライト５ｃの劣化や高温状態でのバックライト５ｃの照射による液晶パネル５ｂの品質の劣化を防止することができる。
【００３２】
さらに、バックライト５ｃを増温させる点灯指令信号を出力してから所定の時間（ｔ３）以内に、バックライト５ｃの温度が所定の低温度（Ｔmin）以上に上昇しない場合、あるいは、バックライト５ｃを増温させる点灯指令信号を出力してから所定の時間（ｔ３）以内に、バックライト５ｃの温度が所定の高温度（Ｔmax）以下に下降しない場合には、出力手段５ｄ２が、移動ケーブル７、又は塔内ケーブル１０を介して異常信号をエレベータの制御盤２へ出力し、図示しない通報装置により、外部へ異常の発報を行うようにしたので、温度センサ５ｅ、あるいはバックライト制御部５ｄなどの異常の可能性を作業員に知らせることができる。これにより、迅速な故障対応が可能となる。
【００３３】
また、エレベータの使用頻度は、エレベータの納入先によって異なるが、階床表示器５に含まれるバックライト５ｃの電源のオン／オフを所定の低温度（Ｔmin）以上で、且つ所定の高温度（Ｔmax）以下となる一定の温度範囲内で管理可能となる為、バックライト５ｃの寿命の周期のばらつきを抑えることができる。これにより、エレベータのライフサイクルの中で、バックライト５ｃの寿命による部品交換が抑えられ、修理コストを低減することができる。
【００３４】
さらに、図４のステップ（Ｓ１）で、呼び登録がされなかった時間が、所定の時間（ｔ１）を経過したかどうかをエレベータ制御盤２から送信される昇降制御情報から判断手段５ｄ１が判断するようにしているが、納入先の使用頻度に応じて、呼び登録される回数を設定し、呼び登録が、設定した回数に満たない時間が所定の時間（ｔ１）を経過したかどうかを判断手段５ｄ１が判断するようにしても良い。
【００３５】
また、ステップ（Ｓ２）で、呼び登録がされなかった時間が所定時間（ｔ１）経過したと判断された場合に、出力手段５ｄ２が、点灯しているバックライト５ｃへこのバックライト５ｃを減温させる促進指令信号を出力し、バックライト５ｃを消灯させるようにしているが、バックライト５ｃを減温させる促進指令信号により、バックライト５ｃを減灯させるようにしても良い。
【００３６】
なお、階床表示器９も階床表示器５と同様に、図示しないバックライト制御部によって、図示しないバックライトの電源のオン／オフをバックライトの温度が所定の低温度（Ｔmin）以上で、且つ所定の高温度（Ｔmax）以下となる一定の温度範囲内となるように管理しているので、前述した階床表示器５と同様の作用効果を得ることができる。
【図面の簡単な説明】
【００３７】
【図１】本発明に係るエレベータ装置の一実施形態の全体構成を示す側面図である。
【図２】本実施形態に備えられる液晶パネル周辺部の要部拡大断面図である。
【図３】本実施形態に備えられるバックライト制御部での制御内容を説明するためのブロック図である。
【図４】本実施形態に備えられるバックライト制御部による制御手順を説明するためのフローチャートである。
【図５】本実施形態の正常時におけるバックライト点灯状態特性、液晶パネルの周囲温度特性、及びエレベータ運転状態特性を対比して示したタイムチャートである。
【図６】本実施形態の異常発生時におけるバックライト点灯状態特性、液晶パネルの周囲温度特性、及びエレベータ運転状態特性を対比して示したタイムチャートである。
【符号の説明】
【００３８】
２        エレベータ制御盤
３        乗かご
４        操作盤
５        階床表示器
５ｂ      液晶パネル
５ｃ      バックライト
５ｄ      バックライト制御部
５ｄ１    判断手段
５ｄ２    出力手段
５ｅ      温度センサ
６        かご上制御装置
７        移動ケーブル（通信回線）
９        階床表示器
１０      塔内ケーブル（通信回線）  
【図１】
2008297026.tif 000003
【図２】
2008297026.tif 000004
【図３】
2008297026.tif 000005
【図４】
2008297026.tif 000006
【図５】
2008297026.tif 000007
【図６】
2008297026.tif 000008